(57)【要約】【課題】外構塀を設置する際、その塀用パネルに対して横幅が短い端尺パネルが必要な時に、その横幅を比較的容易に調節することができる塀用パネルを提供する。【解決手段】パネル本体１と、パネル本体１の側端部に相対向して取付けられ、それぞれの対向面にパネル本体１の側端部が挿入される溝部３２が設けられた２個の縦枠３と、パネル本体１の上下に相対向して設けられた２個の横枠４とを備え、パネル本体１と２個の横枠４とは、左右側端が略面一となされ、２個の横枠４の左右側端に縦枠の基板３１が当接されると共に、基板３１より突出した二個の立壁間に形成された前記縦枠の溝部３２にパネル本体１の左右側端がそれぞれ挿入されるように塀用パネルを構成する。【選択図】        図１
2008082150.tif 000002
【特許請求の範囲】
【請求項１】
パネル本体と、該パネル本体の側端部に相対向して取付けられ、それぞれの対向面にパネル本体の側端部が挿入される溝部が設けられた２個の縦枠と、パネル本体の上下に相対向して設けられた２個の横枠とを備え、パネル本体と２個の横枠とは、左右側端が略面一となされ、２個の横枠の左右側端に縦枠の基板が当接されると共に、基板より突出した２個の立壁間に形成された前記縦枠の溝部にパネル本体の左右側端がそれぞれ挿入されていることを特徴とする塀用パネル。
【請求項２】
２個のパネル本体を前後に間隔を開けて取付けるために、前記縦枠及び横枠に２個の溝部が前後に間隔を開けて設けられていることを特徴とする請求項１に記載の塀用パネル。
【請求項３】
２個のパネル本体が前後に間隔を開けて取付けられ、この２個のパネル本体間に、合成樹脂製の長繊維からなる吸音材が配置されていることを特徴とする請求項２に記載の塀用パネル。
【請求項４】
複数の塀用パネルが上下に接合され、前記接合部において、一方の塀用パネルの接合部には長手方向に向かって相対向する二個の脚片と、その間に並設された突条とを有し、前記脚片間に他方の塀用パネルの接合部が挿入されると共に、突条が挿入される係止溝が前記接合部に形成されていることを特徴とする請求項１〜３のいずれか１項に記載の塀用パネル。
【請求項５】
複数の塀用パネルが上下に接合され、前記接合部において、一方の塀用パネルの接合部には長手方向に向かって脚片と、その脚片に並設された突条とを有し、他方の塀用パネルの接合部には、前記脚片が嵌合される切欠部と、前記突条が挿入される係止溝が形成されていることを特徴とする請求項１〜３のいずれか１項に記載の塀用パネル。
【請求項６】
前記上下の横枠がそれぞれ中空状に形成された請求項１〜５に記載の塀用パネルが左右に複数連結され、その連結部において、隣接する縦枠には該横枠の中空に通じる透孔が相対して設けられ、前記相対する透孔から横枠の中空に向けて連結部材が挿入されて横枠に取付けられることによって塀用パネルが連結されることを特徴とする塀用パネルの連結構造。
【発明の詳細な説明】
【技術分野】
【０００１】
本発明は、住宅やマンション等の敷地境界部や隣地境界部に沿って設けられる外構塀の塀用パネルに関し、特に水平方向に長さ調節が可能となされた塀用パネルに関するものである。
【背景技術】
【０００２】
一般に、住宅や工場等の敷地の境界部に沿って設けられる外構塀の塀用パネルとしては、金属、木材、コンクリート、合成樹脂等からなる矩形状のパネルに対して、その周縁部に桟材を取付けたものが提案されており、この桟材には、支柱と接合するためのものや、笠木や化粧用カバー材等と取付けるためのもの等、目的や、施工性、意匠の面から様々なものが提案されている。
【０００３】
例えば、縦桟と横桟とを組み合わせて枠体を形成し、この枠体の表裏にパネル材を取付けた建築用化粧パネルであって、縦桟と横桟との当接部において、少なくともいずれか一方に他方が嵌入される切り欠き部が設けられている建築用化粧パネルが提案されている。
【０００４】
この建築用化粧パネルは、パネル材の端部が縦桟と当接されると共に、パネル材の端部と縦桟の外表面とが連続するようになされているので、パネル材と縦桟との一体感があり、意匠的に優れた外観を奏することができる（例えば、特許文献１参照。）。
【０００５】
【特許文献１】特開昭６２−２５８０８３号公報
【発明の開示】
【発明が解決しようとする課題】
【０００６】
しかしながら、前記の枠部材には次のような問題点があった。すなわち、設置場所によっては、建築用化粧パネルの横幅を短くした端尺パネルが必要となる際は、この建築用化粧パネルを一旦分解して、パネル材及び横桟を必要な長さに切断した後、再び組み立てる必要があるため、切断作業が煩わしく、又、パネル材と横材をそれぞれ切断するため加工誤差が生じやすく、切断後に組み合わせた時に、パネル材の端部と縦枠の外表面との間に不必要に隙間が生じて却って意匠を損ねたり、寸法合わせのために再度切断作業をしたりする必要となる場合があり、その点が問題であった。
【０００７】
本発明は、前記の如き問題点を解消し、設置場所において、塀用パネルに対して横幅が短い端尺パネルが必要な際に、横幅を比較的容易に調節することができる塀用パネルを提供せんとするものである。
【課題を解決するための手段】
【０００８】
上記目的を達成するために、本発明は次のような構成としている。すなわちこの発明に係る塀用パネルは、パネル本体と、該パネル本体の側端部に相対向して取付けられ、それぞれの対向面にパネル本体の側端部が挿入される溝部が設けられた２個の縦枠と、パネル本体の上下に相対向して設けられた２個の横枠とを備え、パネル本体と２個の横枠とは、左右側端が略面一となされ、２個の横枠の左右側端に縦枠の基板が当接されると共に、基板より突出した二個の立壁間に形成された前記縦枠の溝部にパネル本体の左右側端がそれぞれ挿入されていることを特徴とするものである。
【発明の効果】
【０００９】
本発明によれば、パネル本体と２個の横枠とは、左右側端が略面一となされ、２個の横枠の左右側端に縦枠の基板が当接されると共に、基板より突出した二個の立壁間に形成された前記縦枠の溝部にパネル本体の左右側端がそれぞれ挿入されているので、施工現場において端尺パネルが必要な際は、必要な横幅となるように、塀用パネルを上下方向に切断すれば、切断面は、パネル本体及び２個の横枠により略面一となされるため、この切断面に縦枠を取付け直すことが可能となり、端尺パネルの作成が容易となされる。
【００１０】
本発明において、２個のパネル本体を前後に間隔を開けて取付けるために、前記縦枠及び横枠に二個の溝部が前後に間隔を開けて設けるようになされれば、２個のパネル本体を前後に間隔を開けて取付けた塀用パネルを外構塀として設置した際に、外構塀の前面側で生じた騒音を効果的に遮音し、外構塀の背面側に伝わる騒音を低減させることができる。
【００１１】
又、本発明において、２個のパネル本体が前後に間隔を開けて取付けられ、この２個のパネル本体間に、合成樹脂製の長繊維からなる吸音材が配置されるようになされれば、端尺パネルを作成する際、一方の縦枠を外し、端尺パネルの必要な横幅となるように、縦枠を外した端部から２個のパネル本体とその間に配置された吸音材及び２個の横枠を一緒に切除する場合、吸音材の切れ端が飛散しても、作業者の皮膚に刺さるようなことはなく、一般的に用いられるグラスウール等のガラス繊維からなる吸音材を用いた場合のように、切断時に吸音材の切れ端が飛散して、作業者の皮膚に付着したり、刺さったりして、作業者に不快な刺激を与えるようなことが起こりにくくなる。
【００１２】
更に、複数の塀用パネルが上下に接合され、前記接合部において、一方の塀用パネルの接合部には長手方向に向かって相対向する二個の脚片と、その間に並設された突条とを有し、前記脚片間に他方の塀用パネルの接合部が挿入されると共に、突条が挿入される係止溝が前記接合部に形成されるようになされれば、１個の塀パネルの上に別の塀パネルを接合する際、上の塀パネルは、前記接合部における接合構造によって、塀パネルの前面側或いは背面側には容易に倒れにくくなり、施工作業の安全性が高められると共に、施工作業がより容易となる。
【００１３】
又、本発明において、複数の塀パネルが上下に接合され、その塀パネルが前面或いは背面の何れか一方のみにしか倒れる恐れがない場合は、その面側の塀パネルの接合部において、一方の塀パネルの接合部には長手方向に向かって脚片と、その脚片に並設された突条とを有し、他方の塀パネルの接合部には、前記脚片が嵌合される切欠部と、前記突条が挿入される係止溝が形成されれば、この接合構造によって、塀パネルは容易に倒れにくくなり、施工作業の安全性が高められると共に、施工作業がより容易となる。
【００１４】
又、本発明において、前記上下の横枠がそれぞれ中空状に形成された塀用パネルが左右に複数連結され、その連結部において、隣接する縦枠には該横枠の中空に通じる透孔が相対して設けられ、前記相対する透孔から横枠の中空に向けて連結部材が挿入されて横枠に取付けられることによって塀用パネルが連結されるようになされてもよい。
【発明を実施するための最良の形態】
【００１５】
次に、本発明を実施するための最良の形態について図面を参照し、具体的に説明する。
【００１６】
すなわち、図１は本発明に係る塀用パネルの実施の第一形態を示す正面図、図２は図１のＡ−Ａ部における要部拡大断面図、図３は図１の主要部の断面図、図４は図１の塀用パネルの取付構造を示す正面図、図５は図１の主要部の説明図、図６は図１の主要部の説明図、図７は図４のＢ−Ｂ部における要部拡大断面図、図８は図４のＣ−Ｃ部における要部拡大断面図、図９は図４のＤ−Ｄ部における要部拡大断面図、図１０は本発明に係る塀用パネルの実施の第二形態を示す要部拡大断面図、図１１は本発明に係る塀用パネルの実施の第三形態を示す正面図、図１２は図１１のＤ−Ｄ部における拡大断面図、図１３は塀用パネルと支柱との取付構造の一形態を示す分解説明図、図１４は、塀用パネルどうしの横方向の連結構造の一形態を示す分解斜視図である。  
【００１７】
図面において、１はパネル本体、２は前後に間隔をあけて設けられた２個のパネル本体１の間に配置された吸音材、３はパネル本体１の左右に相対向して設けられた縦枠、４はパネル本体１の上下に相対向して設けられた横枠、本形態に係る塀用パネルＰは、パネル本体１、吸音材２、縦枠３、及び横枠４とから主に構成されたものである。
【００１８】
パネル本体１は、図１及び図３に示すように、略矩形に形成され、芯材１１の表面に化粧板１２が貼着され、芯材１１の裏面に裏面板１３が貼着されたものである。芯材１１は、一般には、ポリエチレンやポリプロピレン等の熱可塑性合成樹脂から作製されるものであり、ポリエチレン、ポリプロピレン単独のもの、或いはこれらを適宜混練されたものを用いてもよく、これらに水酸化アルミニウム、水酸化マグネシウム等の無機材料を適宜混練したものを用いてもよい。
【００１９】
化粧板１２は、一般にはアルミニウム合金、ステンレス鋼、銅等の金属箔からなり、その前面には、装飾性を高めるために塗装が施されてもよく、装飾用のシートやフィルムを貼着されてもよいが、そのまま用いてもよい。
【００２０】
裏面板１３は、化粧板１２とほぼ同じ形態であり、一般にはアルミニウム合金、ステンレス鋼、銅等の金属箔を好適に用いることができるが、裏面板１３を用いず、パネル本体１の裏面が芯材１１により形成されたものでもよい。
【００２１】
パネル本体１は、本形態では、化粧板１２、芯材１１、裏面板１３とからなる積層体であるが、積層体の形態に限定されるものではなく、例えば化粧板１２、或いは芯材１１を単独で用いる形態でもよく、ポリカーボネートやアクリル樹脂等からなる透光材料からなる形態でもよい。
【００２２】
吸音材２は、本形態では、熱可塑性合成樹脂製繊維から構成された綿状の集合体であり、シート状に成形され、図２に示すように、その大きさはパネル本体１と同程度であり、２個のパネル本体１の間に配置されている。吸音材２の厚さは、２個のパネル本体１の間隔と同程度でもよいが、この間隔より厚めに設定し、２個のパネル本体１の間に押し込む様に配置してもよい。
【００２３】
吸音材２の材質は、本形態では、ポリエチレンテレフタレートを主成分とするポリエステルであるが、ポリブチレンテレフタレート、ポリエチレンイソフタレート等のポリエステルを適宜混練したものでもよく、あるいは共重合させたものでもよい。又、ポリエチレン、ポリプロピレン、アクリル樹脂、ポリアミド等の合成樹脂を用いてもよい。更に、これらの合成樹脂で繊維を作成する際に、芯部とその外周上に配置された被覆部からなるように繊維を構成してもよい。要は、吸音材２を２個のパネル本体１の間に配置した際、一方のパネル本体１の外部から外力が加わり、パネル本体１が吸音材２に向かって撓んだ場合、その撓みを吸音材２で弾性的に吸収し、他方のパネル本体１に撓みが伝播しないようになされると共に、外力がなくなれば元の状態に戻るように吸音材２を構成できる材質であればよい。
【００２４】
吸音材２の繊維の形態は、長さが３０〜１００ｍｍ、太さが５〜１００μｍの合成樹脂製繊維であるが、特にこれに限定されるものではなく、塀用パネルＰを適宜切断加工して端尺パネルを作製するために、吸音材２を施工現場等で切断する際、その切れ端が飛散しても、作業者の皮膚に刺さり、不快な刺激を与えるなことが起こりにくいものであればよい。
【００２５】
縦枠３は、図２に示すように、前後に間隔をあけて配置された２個のパネル本体１の側端部に相対向して取付けられたものであり、縦枠３の基板３１には、パネル本体１の側端部がそれぞれ挿入される溝部３２が長手方向に向かって立設されている。溝部３２は、本形態では、基板３１の両側端からそれぞれ立設されているが、基板３１の任意の位置に形成することができる。
【００２６】
縦枠３の溝部３２は、２個のパネル本体１の化粧板１２側に位置する外側壁３３と、２個のパネル本体１の裏面板１３側に位置する内側壁３４とからなる。外側壁３３と内側壁３４との間隔は、パネル本体１の厚さに対してやや広くなされると共に、内側壁３４の端部は、外側壁３３との間隔が広がるようになされ、更に、内側壁３４の内側部の先端角部は切除され斜面が形成されている。これにより、パネル本体１は、溝部３２の内部に挿入しやすくなる。
【００２７】
又、パネル本体１の側端部を溝部３２に挿入した際、パネル本体１の裏面板１３側の縁部は内側壁３４の奥部に当接されると共に、パネル本体１の化粧板１２側は、溝部３２の外側壁３３の端部からパネル本体１側に突出した突部３５の先端に当接するようになされている。これにより、パネル本体１の側端部は、溝部３２内で固定することができる。
【００２８】
更に、パネル本体１の両側端部が、相対向する縦枠３の溝部３２にそれぞれ挿入されれば、パネル本体１に対して、裏面板１３側から化粧板１２側に向かって撓むように外力がかかった場合、パネル本体１の側端部に当接している溝部３２の外側壁３３の突部３５と内側壁３４とがその撓みの発生を阻止するように作用するので、その撓みが生じにくくなる。又、２個のパネル本体１の間に吸音材２を配置する際に、２個のパネル本体１の間隔より、吸音材２の厚さを厚く設定すると共に、この吸音材２を押し込むように配置すれば、前記とは逆に、パネル本体１の化粧板１２側から裏面板１３側に向かって撓むように外力がかかった場合、この吸音材２の弾性的な反発力により、その撓みが生じにくくなる。つまり、この構造により、パネル本体１は、風、振動、騒音等による外力が加わっても撓みにくくなり、ばたつきが生じにくくなる。
【００２９】
横枠４は、図１に示すように、パネル本体１の上下端部に相対向して取付けられた上横枠５と下横枠６とからなる。上横枠５は、図７に示すように、基部５１の両端部から下方に向かってそれぞれ延出部５２が形成されると共に、この延出部５２の先端には、パネル本体１の上端部が挿入される溝部５３が長手方向に向かってそれぞれ下向きに開口されて形成されている。そして、溝部５３の一方の内側壁５４から他方の内側壁５４に向かって接続部５５が形成されている。
【００３０】
下横枠６は、図７に示すように、基板６１の両端部から上方に向かって延出部６２が形成されると共に、この延出部６２の先端には、パネル本体１の下端部が挿入される溝部６３が長手方向に向かってそれぞれ上向きに開口して形成されている。そして、溝部６３の一方の内側壁６４から他方の内側壁６４に向かって接続部６５が形成されている。尚、上横枠５の溝部５３、及び下横枠６の溝部６３は、縦枠３の溝部３２と同様な形態となされ、溝部３２と同様な効果を奏することができる。
【００３１】
この構造により、上横枠５及び下横枠６は、延出部５２、６２や接続部５４、６４を形成しない場合に比べて、その剛性を効果的に高めることができるので、上横枠５及び下横枠６を水平方向に設置した際に、撓みが生じにくくなる。
【００３２】
次に、縦枠３と上横枠５との接合方法について説明する。図５に示すように、縦枠３の基板３１には、その上端部の溝部３２が切除され平面部３６が形成されると共に、この平面部３６にはビス孔３７が形成されている。又、上横枠５の基板５１には、長手方向に亘って断面Ｃ字状のビスホール５６がそれぞれ形成されている。そして、縦枠３の基板３１の平面部３６に上横枠５の側端面をそれぞれ当接させると共に、基板３１のビス孔３７からビスホール５６に向かって固定ビス７が螺合されて、縦枠３と上横枠５とが接合される。この際、溝部３２の上端部と、上横枠５の溝部５３の外側壁５４とが重合せず、その外側面が略面一となされる。本形態では、ビス孔３７は平面部３６に２個形成され、この位置に対応して、上横枠５にも２個のビスホール５６が形成されているが、縦枠３と上横枠５とが必要な接合強度を発現できる形態であれば、ビス孔３７及びビスホール５６は１個でもよく、３個以上の複数個でもよい。尚、縦枠３と下横枠６とは、同様な構成によって接合することができる。
【００３３】
この構造により、２個のパネル本体１、上横枠５及び下横枠６とは、左右側端面が略面一の状態とすれば、その側端面に縦枠３を接合することが可能となり、塀用パネルＰの組立作業が容易となる。又、塀用パネルＰを施工する際、塀用パネルＰに対して横幅を短くした端尺パネルが必要となった場合は、必要な横幅となるように、塀用パネルＰを上下方向に切断すれば、図６に示すように、切断面Ａは、２個のパネル本体１、吸音材２（図示せず）、上横枠５、及び下横枠６により略面一の面が形成されるため、この切断面に縦枠３を取付け直すことが可能となり、端尺パネルの作成が容易となされる。尚、塀用パネルＰを上下方向に切断する際は、予め一方の縦枠３を外して、切断した後に縦枠３を切断面に取付け直してもよく、切断した後に、塀用パネルＰの切れ端から縦枠３を外し、切断面に取付け直してもよく、作業性に応じて適宜実施することができる。
【００３４】
次に、塀用パネル１の上下への接合構造について説明する。具体的には、塀用パネル１の上横枠５と、隣接する塀用パネル１の下横枠６との接合構造について説明する。
【００３５】
図７に示すように、下横枠６の下面には、その両端部から長手方向に沿って脚片６６が相対向して設けられ、この脚片６６の間には、並設された２個の突条６７が設けられている。又、上横枠５は、その接合部が下横枠６の脚片６６の間に挿入されると共に、上横枠５の上面には係止溝５７が形成され、突条６７が挿入され係合されている。本形態では、上横枠５の接合部には、下横枠６の脚片６６と相対する箇所である延出部５２の外側面に切欠５８が形成され、上下の塀用パネル１を接合した際に、下横枠６の脚片６６の外側面と、上横枠５の溝部５３の外側面５９とが略面一となされ、つまり、上横枠５と下横枠６の外側面が略面一となされる。
【００３６】
この構造において、上側の塀用パネルＰの一方（矢印の方向）から風が当たるとすると、この塀用パネル１の下横枠６は、脚片６６ａの先端部を支点Ｃとして回動しようとする。この時、相対向する脚片６６ｂは、支点Ｃから離れており、且つほぼ同じ高さに位置しているので、ほぼ垂直上向きに移動するため、上横枠５の接合部が下横枠６の脚片６６の間から外れる恐れがあるが、突条６７ａは、支点Ｃの近傍でかつ斜め上方に位置しているので、水平方向に近い斜め上向きに移動するため、突条６７ａの外側面が相対する係止溝５７ａの側壁面に接触し、下横枠６の回動が抑制される。つまり、塀用パネル１を上下に接合させた際に、上側の塀用パネル１は、この接合構造により倒れにくくなる。尚、風が反対側から当たる場合も、同様な効果を奏することができる。
【００３７】
突条６７は、脚片６６に対してなるべく近傍に設けることが好ましい。これによって、前記下横枠６が前記のように回動する際、突条６７ａの移動方向は、より水平方向に近くなり、突条６７ａの外側面が相対する係止溝５７ａの側壁面に接触しやすくなり、下横枠６の回動をより効果的に抑制することができる。
【００３８】
突条６７は、本形態では、相対向する脚片６６の近傍にそれぞれ相対して形成されているが、塀用パネル１が倒れる恐れのある面側に形成されていれば、その効果を奏するので、塀用パネル１を接合した際に、いずれか一方のみに倒れるおそれがある場合は、その面側のみに脚片６６及び突条６７が形成されていてもよい。
【００３９】
上横枠５の係合溝５６は、本形態では、開口部から底部に向かって幅が広くなる蟻溝状に形成されている。これにより、前記の効果に加えて、図８に示すように、この上横枠５が最上段に位置する際に、その上端部を覆うためのカバー材Ｄを取付けると共に、カバー材Ｄの内面に形成された断面台形状の突部８３が係合溝５７に嵌合され、カバー材Ｄが上横枠５から容易に外れないようにすることができる。
【００４０】
次に、塀用パネルＰの取付構造について説明する。先ず、図４に示すように、塀用パネルＰは、適宜間隔をあけて立設された支柱９の間に設けられている。支柱９に対する塀用パネルＰの取付方法は特に限定されるものではないが、本形態では、図９に示すように、塀用パネルＰは、縦枠２を介して支柱９に取付けられている。すなわち、縦枠２は、支柱９の側面に対向する外側面に、支柱９に向かって挟持片３８が上下方向に亘って突出され、この挟持片３８は、支柱９の側面に設けられた取付部材９１の前面側に配置されると共に、挟持片３８の前面側はカバー片９２が配置され、取付部材９１及びカバー片９２によって挟持されると共に、ボルトとナットにより締結されている。
【００４１】
この構造により、塀用パネルＰは支柱９の前面側から取付けることが可能となり、又、塀用パネルＰと支柱９との取付箇所は、取付部材９１及びカバー片９２により隠蔽され、美観を奏するものとなる。
【００４２】
縦枠３、上横枠５、及び下横枠６は、一般にはアルミニウムや合成樹脂を押出成型して得られる長尺の型材を適宜長さに切断した部材からなるものであるが、アルミニウム以外の金属、または金属や無機材料と合成樹脂との複合材料、例えば合成樹脂に金属フィルムをラミネートしたもの、表面に着色がなされたもの、装飾性を向上させるために表面に凹凸が形成されたもの等、必要な強度に応じて、適宜使用できる。尚、縦枠３、上横枠５、及び下横枠６のそれぞれに形成された溝部３２、５３、６３は、本形態ではそれぞれ２個ずつ並設されたものであるが、１個設けられたものでもよく、３個以上の複数個設けられたものでもよく、パネル本体１の仕様数量や仕様形態に合わせて適宜選択することができる。
【００４３】
図２に示された塀用パネルＰは、一方のパネル本体１の外表面側で発生した騒音が、他方のパネル本体１の外表面側へ伝播することを抑制し、効果的に遮音するための構成であるが、図１０に示された塀用パネルＰは第二の実施形態に係るものであり、発生した騒音を塀用パネルＰで効果的に吸音するように構成したものである。
【００４４】
すなわち、前後に間隔をあけて設けられた２個のパネル本体１の間に吸音材２を配置する点では、図２に示された塀用パネルＰと同様であるが、騒音源側のパネル本体１ａには、その全面に貫通孔が多数設けられ（図示せず）、反対側のパネル本体１ｂと吸音材２の間には、鋼板１４が配置され、これにより、発生した騒音は、パネル本体１ａの貫通孔を通過して吸音材２で吸音されると共に、吸音材２を通過した騒音は、鋼板１４で跳ね返り、再び吸音材２で吸音されるので、この塀用パネルＰにより効果的に吸音される。尚、鋼板１４は、パネル本体１ｂと吸音材２との間に配置されていれば、その効果を奏するので、本形態のように鋼板１４の両側端部がパネル本体１ｂと同様に溝部３２に挿入されたものでもよく、単にパネル本体１ｂと吸音材２との間に配置された形態でもよい。後者の場合は、鋼板１４の上下端部をパネル本体１ａ側にそれぞれ折り返し断面コ字状とし、その折り返し部が吸音材２の上下両面に位置するように配置し、鋼板４が不用意に移動しないようになされてもよい。
【００４５】
図１１は、塀用パネルＰの実施の第３形態を示す正面図である。すなわち、図９に示された塀用パネルＰは、縦枠３を介して支柱９に取付けられた形態であるが、本形態に係る塀用パネルＰは、横枠４を介して支柱９に取付けられたものである。尚、縦枠３と横枠４との接合形態、及び縦枠３及び横枠４に対するパネル本体１の取付構造は、前記に示された塀用パネルＰと同様である。又、本形態に係る塀用パネルＰは、上下方向に積み重ねる際に、横枠４の当接面において一方の当接面に他方に向けて設けられた突起が、対向する当接面に設けられた凹み部に挿入されて両横枠４が接合されるものであるが、塀用パネルＰを上下方向により安定的に積み重ねるために、前記と同様な接合部を横枠４に設けてもよい。
【００４６】
図１２は、図１１のＥ−Ｅ部における断面図である。横枠４には、支柱９と接する側に長手方向に沿って支柱取付溝４１が設けられ、この支柱取付溝４１に支柱取付部材４２が摺動可能に挿入されるものである。支柱取付溝４１には、支柱９と接する側の長手方向に沿って開口部４３が設けられ、この開口部４３は、支柱取付溝４１、及び支柱取付部材４２の縦寸法より短くなされている。そして、縦枠３には、図１３に示すように、支柱取付溝４１に支柱取付部材４２が挿入されるための挿入孔が設けられている。
【００４７】
図１３は、横枠４と支柱９との固定構造の説明図であり、（ａ）は概略を示す分解斜視図、（ｂ）はその要部の拡大図である。まず、支柱９に設けられた貫通孔９４に取付ボルト９５を挿入し、支柱９を貫通させる。次に、取付ボルト９５のネジ部を前記開口部４３に通し、支柱取付溝４１に挿入された支柱取付部材４２の取付孔４４に螺合される。これにより、横枠４が支柱９に固定される。本形態に係る塀用パネルＰを支柱９に取付ける際は、図１４に示すように、上下両横枠４を支柱９に固定した方が、塀用パネルＰを支柱により強固に取付けることができるので好ましいが、支障のない範囲で、一方の横枠４のみを支柱９に固定したものでもよい。
【００４８】
次に、この実施形態に係る塀用パネルＰの連結構造について詳しく説明する。図１３に示すように、横枠４には、支柱取付溝４１の背面側に中空部４５が設けられている。そして、隣接する２個の塀用パネルの両横枠４において、それぞれの中空部４５の内側面に連結部材８２が取付けられ、塀用パネルＰどうしが連結される。
【００４９】
連結部材８２の形状や取付箇所は特に限定されるものではないが、本形態では、横枠４の支柱取付溝４１において、底部から中空部４５側に向けて長手方向に沿って凹んだ断面コ字状の凹溝４６が設けられ、つまり、中空部４５側に突出した突条４７が設けられている。又、連結部材８２は前記突条４７側に開口した断面略コ字状に形成されている。そして、突条４７が連結部材８２の開口に挿入されて取付けられるようになされている。
【００５０】
連結部材８２を固定ビスＦで横枠４に取付ける際は、凹溝４６（突条４７）に設けられた固定ビスＦの螺子部より大径の横長孔（図示せず）に固定ビスＦを挿入し、連結部材８２のビス孔８３に螺入させる。本形態では、連結部材８２の開口において、その入り口の縦寸法は突条４７の縦寸法より広く、且つ開口の縦寸法は奥ほど狭くなっている。これにより、突条４７を連結部材８２の開口部に挿入しやすくなる。又、固定ビスＦで取付ける際に、突条４７の頂部が連結部材８２の開口に少しでも挿入された状態で固定ビスＦをビス孔８３に螺入させておけば、作業者は連結部材８２を支持していなくても、固定ビスＦを締め付ける程、連結部材８２の開口の上下壁部は突条４７に規制され、連結部材８２の長手方向と突条４７の長手方向とのずれが小さくなるように取付けられる。連結部材８２の開口において、最奥部の縦寸法が突条４７の縦寸法と一致していれば、前記のずれがほとんどなくなるため最も好ましいが、連結部材８２の加工誤差や、施工誤差等を考慮して、最奥部の縦寸法を突条４７の縦寸法よりやや大きくしていれば、連結部材８２は、開口の最奥部が突条４７に当接されるので、横枠４に対して前後方向の位置が固定されるため、塀用パネルＰを横方向に連結する際に、両パネルの前面がほぼ面一となり、又両パネルの高さをほぼ合わせることができる。尚、固定ビスＦの取付箇所は１個でもよいが、本形態のように横方向に２個並べて設けられてもよく、取付作業等が煩雑にならない程度で３個以上の複数でもよい。
【００５１】
固定ビスＦの頭部の幅寸法は、前記凹溝４６の深さ寸法より小さいほうが好ましい。これにより、支柱取付部材４２を横枠４の支柱取付溝４１に挿入する際に、お互いに接触しないようになされる。
【００５２】
図１４に示すように、横枠４の両端部には縦枠３の基部３１が当接され、その基部３１には、横枠４の中空部に通じ、連結部材８２が挿入される透孔３９が設けられている。透孔３９の形状は、特に限定されるものではないが、連結部材８２を挿入しやすく、且つ連結部材８２を横枠４に取付ける際に、その作業性が向上されるものがより好ましい。すなわち、透孔３９は、本形態のように、連結部材８２の取付位置に合わせて、連結部材８２の断面形状よりやや大きい程度に形成されたものでもよいが、少なくとも連結部材８２の取付高さに対して透孔３９の下側と背面側の位置が極端にずれない程度となされれば、連結部材８２の挿入位置を合わせやすくなり、又、連結部材８２の一端を一方の塀用パネルＰに取付けた後、他端を他方の塀用パネルＰに取付ける際に、この他端を他方の塀用パネルＰ側の透孔３９に挿入すれば、塀用パネルＰを仮止めすることが可能となり、連結作業がより容易になされる。
【００５３】
塀用パネルＰを連結する際は、上下の横枠４にそれぞれ連結部材８２を取付けた方が、連結した塀用パネルＰの連結強度が高められ、位置ずれ等も起こりにくくなり好ましいが、塀用パネルＰの縦寸法や施工性を考慮して、上下の横枠４の一方のみに取付けられたものでもよい。
【００５４】
又、図１４に示すように、塀用パネルＰを連結する際は、その連結部にパッキンＧ等の弾性部材を配設した形態でもよい。これにより、隣接する２個の塀用パネルにおいて、横方向の加工誤差や傾斜等の施工誤差によって生じる隙間を埋めることが可能となり、この隙間から伝播する騒音等を低減させ、吸音性能や遮音性能を高めることができる。尚、同様なパッキンと塀用パネルＰと地面との間に配設された形態でもよい。
【産業上の利用可能性】
【００５５】
本発明によれば、設置場所において、塀用パネルに対して横幅が短い端尺パネルが必要な際に、横幅を比較的容易に調節することができるので、塀用パネルを用いて外構塀を施工する際、外構塀の端部等で支柱間の幅が所定の長さでない場合、あるいは、外構塀等の設置予定箇所に樹木や岩等の移動できないようなものがあり、その場所を避けて外構塀を施工する等、施工現場等で、塀用パネルの端尺パネルが必要となる場合に、好適に利用できる。
【図面の簡単な説明】
【００５６】
【図１】本発明に係る塀用パネルの実施の第一形態を示す正面図である。
【図２】図１のＡ−Ａ部における要部拡大断面図である。
【図３】図１の主要部の断面図である。
【図４】図１の塀用パネルの取付構造を示す正面図である。
【図５】図１の主要部の説明図である。
【図６】図１の主要部の説明図である。
【図７】図４のＢ−Ｂ部における要部拡大断面図である。
【図８】図４のＣ−Ｃ部における要部拡大断面図である。
【図９】図４のＤ−Ｄ部における要部拡大断面図である。
【図１０】本発明に係る塀用パネルの実施の第二形態を示す要部拡大断面図である。
【図１１】本発明に係る塀用パネルの実施の第三形態を示す正面図である。
【図１２】図１１のＥ−Ｅ部における拡大断面図である。
【図１３】塀用パネルと支柱との取付構造の一形態を示す分解説明図
【図１４】塀用パネルどうしの横方向の連結構造の一形態を示す分解斜視図である。
【符号の説明】
【００５７】
１、１ａ、１ｂ  パネル本体
１２  化粧板
１３  裏面板
２    吸音材
３    縦枠
３１  基板
３２  溝部
３９  透孔
４    横枠
４１  支柱取付溝
４２  支柱取付部材
４３  開口部
４５  中空部
４６  凹溝
４７  突条
５    上横枠
５１  基板
５３  溝部
５７、５７ａ  係合溝
６    下横枠
６１  基板
６３  溝部
６６、６６ａ、６６ｂ  脚片
６７、６７ａ  突条
７    固定ビス
８    カバー片
８２  連結部材
９    支柱
９１  取付部材
Ａ    切断面
Ｃ    支点
Ｐ    塀用パネル
【図１】
2008082150.tif 000003
【図２】
2008082150.tif 000004
【図３】
2008082150.tif 000005
【図４】
2008082150.tif 000006
【図５】
2008082150.tif 000007
【図６】
2008082150.tif 000008
【図７】
2008082150.tif 000009
【図８】
2008082150.tif 000010
【図９】
2008082150.tif 000011
【図１０】
2008082150.tif 000012
【図１１】
2008082150.tif 000013
【図１２】
2008082150.tif 000014
【図１３】
2008082150.tif 000015
【図１４】
2008082150.tif 000016